(57)【要約】【課題】作業アタッチメント装着部或いはその後方位置に設置された部品の点検や整備を行う場合に、作業者の安全性を確保してメンテナンスが容易に行えるようにする。【解決手段】上部旋回体１０の左右略中央位置に作業アタッチメント装着部１１を設けてセンターカバー２１にて被蔽した建設機械に於いて、センターカバー２１は、その下部を回動中心に前方へ開閉自在に装着され、且つ、センターカバー２１の裏面にステップ２３を設けてある。センターカバー２１を開放状態にしたとき、センターカバー２１の表面が作業アタッチメントのブーム１２に当接して係止され、角度調整機構部２５により作業者が所望する角度にステップ２３の角度を調整して固定する。【選択図】  図５
2004285676.tif 000002
【特許請求の範囲】
【請求項１】
下部走行体の上に上部旋回体を旋回自在に載置し、該上部旋回体の左右略中央位置に、左右に対峙して立設されたウエブ板と、左右のウエブ板間に架設された前面板とからなる作業アタッチメント装着部を設け、該作業アタッチメント装着部の後方にエンジンを搭載してハウスにて被蔽するとともに、前記左右のウエブ板と前面板とをセンターカバーにて被蔽した建設機械に於いて、前記センターカバーは、その下部を回動中心として前方へ開閉自在に装着され、且つ、センターカバーの裏面にステップを設けたことを特徴とする建設機械のステップ装置。
【請求項２】
上記センターカバーの開放状態では、センターカバーの表面が作業アタッチメントのブームに当接して係止されるように構成された請求項１記載の建設機械のステップ装置。
【請求項３】
上記ステップは、センターカバーの閉止状態では折り畳まれて格納され、センターカバーの開放状態では引き起こされて角度調整可能に形成された請求項１または２記載の建設機械のステップ装置。
【発明の詳細な説明】
【０００１】
【発明の属する技術分野】
本発明は建設機械のステップ装置に関するものであり、特に、油圧ショベル等の建設機械に於いて点検や整備を行うためのステップ装置に関するものである。
【０００２】
【従来の技術】
従来、下部走行体の上に上部旋回体を旋回自在に載置し、該上部旋回体の左右略中央位置に、左右に対峙して立設されたウエブ板と、左右のウエブ板間に架設された前面板とからなる作業アタッチメント装着部を設け、該作業アタッチメント装着部の後方にエンジンを搭載してハウスにて被蔽するとともに、前記左右のウエブ板と前面板とをセンターカバーにて被蔽した建設機械に於いて、前記作業アタッチメント装着部或いはその後方に設置された部品の点検や整備を行う際は、作業者がハウスの上面に上がり、ひざを折り曲げてうずくまった姿勢で行うか、或いは、ハウスの上面に腹ばいになって行っている。従って、作業姿勢が不安定となり、作業者の安全性に欠けていた。
【０００３】
ハウスへの昇降を容易にするために、ハウス（建屋カバー）の上下に離間して上側ステップ部及び下側ステップ部を開閉可能に設け、下側ステップ部はハウスから開いた状態での張り出し寸法が上側ステップ部よりも大きくなるように少なくとも２段階で開閉するように構成したものが知られている（例えば特許文献１）。
【０００４】
【特許文献１】
特開平９−２０３０７７号公報（第２〜８頁、図１）。
【０００５】
【発明が解決しようとする課題】
上記特許文献１記載のステップ装置は、作業アタッチメント装着部の側方に設けられたハウスの前面部に設けられており、作業アタッチメント装着部或いはその後方位置にあるハウス内の点検や整備を行う場合に、作業アタッチメント装着部後方のハウスに上記ステップ装置を設けると、作業アタッチメントにステップ部が接触する虞がある。
【０００６】
そこで、作業アタッチメント装着部或いはその後方位置に設置された部品の点検や整備を行う場合に、作業者の安全性を確保してメンテナンスが容易に行えるようにするために解決すべき技術的課題が生じてくるのであり、本発明はこの課題を解決することを目的とする。
【０００７】
【課題を解決するための手段】
本発明は上記目的を達成するために提案されたものであり、下部走行体の上に上部旋回体を旋回自在に載置し、該上部旋回体の左右略中央位置に、左右に対峙して立設されたウエブ板と、左右のウエブ板間に架設された前面板とからなる作業アタッチメント装着部を設け、該作業アタッチメント装着部の後方にエンジンを搭載してハウスにて被蔽するとともに、前記左右のウエブ板と前面板とをセンターカバーにて被蔽した建設機械に於いて、前記センターカバーは、その下部を回動中心として前方へ開閉自在に装着され、且つ、センターカバーの裏面にステップを設けた建設機械のステップ装置、
及び、上記センターカバーの開放状態では、センターカバーの表面が作業アタッチメントのブームに当接して係止されるように構成された建設機械のステップ装置、
及び、上記ステップは、センターカバーの閉止状態では折り畳まれて格納され、センターカバーの開放状態では引き起こされて角度調整可能に形成された建設機械のステップ装置を提供するものである。
【０００８】
【発明の実施の形態】
以下、本発明の一実施の形態を図面に従って詳述する。図１及び図２は建設機械の一例として油圧ショベルの上部旋回体１０を示し、該上部旋回体１０の前部には作業アタッチメント装着部１１を設け、該作業アタッチメント装着部１１に作業アタッチメントのブーム１２を俯仰自在に装着してある。
【０００９】
該作業アタッチメント装着部１１の後方にはエンジン１３を搭載してあり、該エンジン１３はハウス１４にて被蔽されている。尚、符号１５は作業アタッチメント装着部１１の側方に設けられているキャビンであり、該キャビン１５の内部にオペレータシート１６が設けられている。また、上部旋回体１０の後端部にはカウンタウエイト１７が取り付けられている。
【００１０】
前記作業アタッチメント装着部１１は上部旋回体１０の左右略中央位置に設けられ、左右に対峙して立設されたウエブ板１８，１８と、該左右のウエブ板１８，１８間に架設された前面板１９とからなり、左右のウエブ板１８，１８を貫通してブーム１２のフートピン２０が取り付けられている。
【００１１】
また、前記作業アタッチメント装着部１１の左右のウエブ板１８，１８及び前面板１９の上部にはセンターカバー２１が設けられており、該センターカバー２１は前記ハウスの前面略中央部で、且つ、その下部が上部よりも前方に迫り出して傾斜している。
【００１２】
図３及び図４に示すように、前記センターカバー２１はその下部にヒンジ２２が取り付けられており、該ヒンジ２２を回動中心として前方へ開閉自在に装着されている。そして、センターカバー２１の開放状態では、センターカバーの表面２１ａが前記作業アタッチメントのブーム１２に当接して、それ以上回動できないように係止される。また、センターカバーの裏面２１ｂにはステップ２３が設けられている。
【００１３】
該ステップ２３は、箱状に四辺を折り曲げて強度を確保してあり、その上部辺２３ａにヒンジ２４を取り付けて、このヒンジ２４を回動中心として該ステップ２３が上方へ回動自在に装着されている。また、該ステップ２３には角度調整機構部２５が設けられている。
【００１４】
この角度調整機構部２５は、前記ステップの側部辺２３ｂに枢着されたステー２６と、前記センターカバーの裏面２１ｂに固設されたストッパプレート２７とから構成され、前記ステー２６の一端部を連結ピン２８にて前記ステップの側部辺２３ｂの略中央部に枢着し、前記ステー２６の他端部に係止ピン２９を突設してある。
【００１５】
一方、前記ストッパプレート２７には複数個の係止孔３０，３０…が設けられており、前記センターカバーの裏面２１ｂからステップ２３を引き起こしたときに、前記ステー２６を下方へ回動してその他端部に設けた係止ピン２９をストッパプレート２７の何れかの係止孔３０に挿入して係止させることにより、該ステー２６によって前記ステップ２３が支持される。そして、前記ストッパプレート２７の係止孔３０の位置を変えて、前記ステー２６の係止ピン２９を挿入することにより、ステー２６の係止位置が変わって前記ステップ２３の角度を数段階に調整することができる。
【００１６】
而して、図１に示したセンターカバー２１の閉止状態では、図３の実線にて示すように、前記ステップ２３はセンターカバーの裏面２１ｂ側へ折り畳まれて格納される。センターカバー２１を前方へ回動すれば、センターカバーの表面２１ａが作業アタッチメントのブーム１２に当接し、それ以上の回動が係止されて開放状態となる。
【００１７】
図４及び図５に示すように、センターカバー２１の開放状態で、前記ステップ２３を上方へ引き起こして角度調整機構部２５を調整し、ステップ２３が略水平状態となる位置で固定する。即ち、前記ステー２６の他端部を下方へ回動し、該ステー２５の他端部に突設した係止ピン２９をストッパプレート２７の何れかの係止孔３０に係止することにより、前記ステップ２３が略水平状態となるように角度調整することができる。
【００１８】
このように、作業アタッチメント装着部１１を被蔽するためのセンターカバー２１を開放状態にしてステップ２３を引き起こせば、作業者が該ステップ２３を踏み台にしてハウス１４の上面への昇降が簡単となり、ハウス１４の上面からハウス１４内のエンジン１３をはじめとする各部品の点検や整備が容易となる。また、前記ステップ２３は角度調整機構部２５によって角度調整が可能であるため、作業者がハウス１４の上面には上らずにハウス１４内の点検や整備を行う場合、或いは、作業アタッチメントのブーム１２の背面スペースに設置してある部品や他の部品の点検や整備を行う場合に、該ステップ２３に足をかけて作業を行うことにより、作業者の作業姿勢が安定する。
【００１９】
斯くして、従来のように、作業者がハウス１４の上面に上がり、ひざを折り曲げてうずくまった姿勢や、或いは、ハウス１４の上面に腹ばいになる姿勢をとる必要がなくなり、安定した姿勢で作業が行えるため作業者の安全性を確保することができる。
【００２０】
尚、本発明は、本発明の精神を逸脱しない限り種々の改変を為すことができ、そして、本発明が該改変されたものに及ぶことは当然である。
【００２１】
【発明の効果】
本発明は上記一実施の形態に詳述したように、請求項１記載の発明は、作業アタッチメント装着部を被蔽するためのセンターカバーが、その下部を回動中心として前方へ開閉自在に装着され、且つ、センターカバーの裏面にステップを設けたことにより、該センターカバーを開放状態にすればステップが露出する。従って、このステップを使用することにより作業姿勢が安定するため、作業アタッチメント装着部近傍に設置してある部品やハウス内の部品の点検整備が容易となり、メンテナンス性及び安全性の向上に寄与できる。
【００２２】
請求項２記載の発明は、上記センターカバーの開放状態では、センターカバーの表面が作業アタッチメントのブームに当接して係止されるように構成したので、請求項１記載の発明の効果に加えて、開放状態のセンターカバーがブームによって安定的に保持され、該センターカバーの裏面に設けたステップも不慮揺動する虞がなく、作業者が該ステップを安全に使用することができる。
【００２３】
請求項３記載の発明は、上記ステップは折り畳み自在に形成されているので、センターカバーの閉止状態ではステップが折り畳まれてコンパクトに収納できる。一方、センターカバーの開放状態ではステップが引き起こされて使用可能な状態となり、且つ、ステップの角度を調整することができるので、請求項１または２記載の発明の効果に加えて、作業者が所望するステップ角度が得られて作業性の向上に寄与できる。
【図面の簡単な説明】
図は本発明の一実施の形態を示すものである。
【図１】センターカバーが閉止状態の油圧ショベルの上部旋回体の側面図。
【図２】センターカバーが閉止状態の油圧ショベルの上部旋回体の平面図。
【図３】センターカバーが閉止状態でのステップを示す側面図。
【図４】センターカバーが開放状態でのステップを示す側面図。
【図５】センターカバーが開放状態の油圧ショベルの上部旋回体の側面図。
【符号の説明】
１０        上部旋回体
１１        作業アタッチメント装着部
１２        作業アタッチメントのブーム
１３        エンジン
１４        ハウス
１８        ウエブ板
１９        前面板
２１        センターカバー
２２        ヒンジ
２３        ステップ
２４        ヒンジ
２５        ステー
２６        連結ピン
２７        係止ピン
２８        ステップ角度調整機構部
２９        ストッパプレート
３０        係止孔
【図１】
2004285676.tif 000003
【図２】
2004285676.tif 000004
【図３】
2004285676.tif 000005
【図４】
2004285676.tif 000006
【図５】
2004285676.tif 000007